(57)【要約】      （修正有）【課題】光の照射により水から水酸化ラジカルや活性酸素を発生させる触媒シートにより、抗ダニ，抗カビ及び抗菌作用を発揮するとともに、人体に対する安全性の高い床構造，シート材及び敷設部材を提供するものである。【解決手段】床板２の上方に畳，カーペット若しくはフローリング等の敷設部材１を設けた床構造であって、前記敷設部材１と前記床板２との間には、光の照射により水から水酸化ラジカルや活性酸素を発生させる触媒層３が設けられているものである。【選択図】図１
2006226055.tif 000002
【特許請求の範囲】
【請求項１】
床板の上方に畳，カーペット若しくはフローリング等の敷設部材を設けた床構造であって、前記敷設部材と前記床板との間には、光の照射により水から水酸化ラジカルや活性酸素を発生させる触媒層が設けられていることを特徴とする床構造。
【請求項２】
床板の上方に畳，カーペット若しくはフローリング等の敷設部材を設けた床構造であって、前記敷設部材には、光の照射により水から水酸化ラジカルや活性酸素を発生させる触媒層が設けられていることを特徴とする床構造。
【請求項３】
請求項２に記載の床構造において、前記敷設部材は、薄板材を複数層積層してなる芯材の上面に表材が設けられ、更に、この複数積層される薄板材の間若しくは前記薄板材と表材との間の少なくとも１箇所に前記触媒層が設けられたものであることを特徴とする床構造。
【請求項４】
請求項１〜３いずれか１項に記載の床構造において、前記触媒層は、基材となるシート材の外面に粉末状の金属酸化物を適宜吹き付けしてなる構成としたことを特徴とする床構造。
【請求項５】
請求項４に記載の床構造において、前記シート材を通気性素材としたことを特徴とする床構造。
【請求項６】
請求項４，５いずれか１項に記載の床構造において、前記金属酸化物は、酸化チタンを採用したことを特徴とする床構造。
【請求項７】
畳，カーペット若しくはフローリング等の敷設部材と床板との間に配設されるシート材であって、このシート材は、光の照射により水から水酸化ラジカルや活性酸素を発生させるシート材であることを特徴とするシート材。
【請求項８】
畳，カーペット若しくはフローリング等の敷設部材であって、この敷設部材には、光の照射により水から水酸化ラジカルや活性酸素を発生させる触媒層が設けられていることを特徴とする敷設部材。
【発明の詳細な説明】
【技術分野】
【０００１】
本発明は、抗ダニ，抗カビ及び抗菌作用を有する床構造，シート材及び敷設部材に関するものである。
【背景技術】
【０００２】
従来、畳には湿気とともにダニ，カビ及び細菌などの微生物の餌になる有機物が溜まり易く、この湿気と有機物により畳に微生物が生じ易くなってしまうため、畳の湿気及び微生物の増殖対策として、床板と畳の間に新聞紙や防虫加工紙を敷くことが行われてきた。
【０００３】
これは新聞紙や防虫加工紙が良好な吸湿作用を示し、また、新聞紙に含まれるインクや防虫加工紙に含まれる有機リン系の薬剤が微生物の増殖を阻止する作用を示すと考えられてきたためである。
【発明の開示】
【発明が解決しようとする課題】
【０００４】
しかしながら、一旦湿気を吸湿した新聞紙は湿気を放出しにくく、かえって床板と畳の間の通気が妨げられて、この湿気と有機物により畳にダニ，カビ及び細菌などの微生物が増殖し易くなってしまうことが分かってきた。また、防虫加工紙に用いられる有機リン系の薬剤は、人体に対して慢性若しくは急性の毒性があり、健康被害をもたらす危険があることも分かってきた。
【０００５】
本発明は、光の照射により水から水酸化ラジカルや活性酸素を発生させる触媒シートにより、抗ダニ，抗カビ及び抗菌作用を発揮するとともに、人体に対する安全性の高い床構造，シート材及び敷設部材を提供するものである。
【課題を解決するための手段】
【０００６】
本発明の要旨を説明する。
【０００７】
床板２の上方に畳，カーペット若しくはフローリング等の敷設部材１を設けた床構造であって、前記敷設部材１と前記床板２との間には、光の照射により水から水酸化ラジカルや活性酸素を発生させる触媒層３が設けられていることを特徴とする床構造。
【０００８】
また、床板２の上方に畳，カーペット若しくはフローリング等の敷設部材１を設けた床構造であって、前記敷設部材１には、光の照射により水から水酸化ラジカルや活性酸素を発生させる触媒層３が設けられていることを特徴とする床構造。
【０００９】
また、請求項２に記載の床構造において、前記敷設部材１は、薄板材４を複数層積層してなる芯材５の上面に表材６が設けられ、更に、この複数積層される薄板材４の間若しくは前記薄板材４と表材６との間の少なくとも１箇所に前記触媒層３が設けられたものであることを特徴とする床構造。
【００１０】
また、請求項１〜３いずれか１項に記載の床構造において、前記触媒層３は、基材となるシート材７の外面に粉末状の金属酸化物８を適宜吹き付けしてなる構成としたことを特徴とする床構造。
【００１１】
また、請求項４に記載の床構造において、前記シート材７を通気性素材としたことを特徴とする床構造。
【００１２】
また、請求項４，５いずれか１項に記載の床構造において、前記金属酸化物８は、酸化チタンを採用したことを特徴とする床構造。
【００１３】
また、畳，カーペット若しくはフローリング等の敷設部材１と床板２との間に配設されるシート材７であって、このシート材７は、光の照射により水から水酸化ラジカルや活性酸素を発生させるシート材７であることを特徴とするシート材。
【００１４】
また、畳，カーペット若しくはフローリング等の敷設部材１であって、この敷設部材１には、光の照射により水から水酸化ラジカルや活性酸素を発生させる触媒層３が設けられていることを特徴とする敷設部材。
【発明の効果】
【００１５】
本発明は上述のように構成したから、抗ダニ，抗カビ及び抗菌作用を極めて良好に発揮できる床構造，シート材及び敷設部材となる。
【発明を実施するための最良の形態】
【００１６】
好適と考える本発明の実施形態を、図面に基づいて本発明の作用を示して簡単に説明する。
【００１７】
床板２の上方に設ける畳，カーペット若しくはフローリング等の敷設部材１に、光の照射により水から水酸化ラジカルや活性酸素を発生させる触媒層３を設けたから、この触媒層３に湿気や結露水が吸収され、更にこの触媒層３に光が照射されると、該湿気や結露水において水酸化ラジカルや活性酸素が発生し、この水酸化ラジカルや活性酸素によりダニ，カビ及び細菌などの微生物及び該微生物の餌になる有機物が分解され、よって、良好な抗ダニ，抗カビ及び抗菌作用が発揮される。
【実施例】
【００１８】
図面に基づいて本発明の実施例を説明する。
【００１９】
図１，図２，図５及び図６は本発明の第一実施例、図３及び図４は本発明の第二実施例である。まず、第一実施例について説明する。
【００２０】
第一実施例は、表材６と芯材５との間に触媒層３、具体的には金属酸化物８として酸化チタンを含有したシート材７を設けた畳１を床板２の上に配設した床構造である。
【００２１】
第一実施例の畳１は、表材６と芯材５とから構成されている。
【００２２】
表材６は、一般に使用されている畳表を使用する。
【００２３】
芯材５は、従来畳の芯材として使用されている木材チップから成る木質繊維板を使用している。木質繊維板は元々畳の芯材として使用されている素材であるため、畳独特のクッション性を維持することに適している。尚、芯材５は、本実施例以外にも、昔から使用されている藁製の芯材でも良い。
【００２４】
第一実施例の触媒層３は、基材となるシート材７と金属酸化物８とから構成されている。
【００２５】
シート材７は、通気性が良好であるとともに、適度な水分（水蒸気若しくは結露水）の吸放湿性を有する素材を採用する。また、このシート材７の厚さは、通気性と水分の吸放湿性が損なわれない程度の厚さとする。
【００２６】
具体的に本実施例のシート材７は、厚さが０．１〜１ｍｍの不織布を採用している。この不織布は、厚過ぎると通気性が悪くなるとともにコスト高となるため好ましくなく、薄すぎると不織布内に十分に水分を吸湿・保持できず、水分から水酸化ラジカルや活性酸素を良好に発生させることができなくなるため、望ましくない。
【００２７】
金属酸化物８は、粉末状のものを採用している。この粉末状の金属酸化物８は、シート材７から飛散しやすく、また、シート材７内に均一に分散させることが困難で、このように不均一に金属酸化物８が分散したシート材においては、通気性が悪化（部分的に通気性が悪くなる為）する場合があるため、シート材７の裏面若しくは表面に適宜均一に吹き付け塗布できるようなスプレー加工を施すことが好ましい。このように粉末状の金属酸化物８をシート材７の裏面若しくは表面に適宜均一に吹き付け塗布することで、不織布の通気性を妨げることがなく、該不織布は均一な通気性が確保される。
【００２８】
また、金属酸化物８がムラなく均一に不織布内に存在することで、触媒層３に水分が吸収されると共に光が照射された場合に、この光触媒層３のどの部位においても確実に水分と金属酸化物８とが接触して、水酸化ラジカルや活性酸素を発生させることができる。
【００２９】
また、金属酸化物８としては、紫外線の照射により励起して水から水酸化ラジカルや活性酸素を発生させる金属酸化物８であって、水に光が照射され、該水から水酸化ラジカルや活性酸素が発生する際に触媒作用を発揮するような金属酸化物８を採用する。
【００３０】
本実施例は具体的には金属酸化物８として、酸化チタン（ＴｉＯ２）を採用している。
【００３１】
金属酸化物８として紫外線で励起するＺｎＯ、ＳｎＯ２、ＳｒＴｉＯ３、ＷＯ３、Ｂｉ２Ｏ３、Ｆｅ２Ｏ３でもよいが、化学的に安定で、無害で、かつ安価な酸化チタンが特に好ましい。
【００３２】
この酸化チタンを用いる場合、不織布の外面１ｍ２当たり５ｇ〜１０ｇの粉末が含まれるように吹き付けた触媒層３とすると良い。
【００３３】
この粉末状の酸化チタンを含有した触媒層３に光（紫外線）を当てると、酸化チタンから電子と正孔が生成して触媒層３に吸収された水分と反応し、この過程で水分中に酸化性の強い水酸化ラジカルや活性酸素が発生して、触媒層３の微生物及び微生物の餌となる有機物の分解が行われる。よって、微生物が分解された上、更に微生物の餌となる有機物の分解が行われることで、微生物の増殖抑制作用、即ち、抗ダニ，抗カビ及び抗菌作用を良好に発揮できる。
【００３４】
尚、第一実施例においては、表材６の隙間（畳１のゴザの目）から触媒層３に光（太陽光あるいは室内照明の紫外線）が当たることとなる。
【００３５】
また、上記酸化チタンは水との親和性が良好で（一般に酸化物は親水性を有する）、この酸化チタンを含有した不織布の親水性を向上させる作用があるから、不織布の吸湿性が向上して、必然的に酸化チタンと不織布に吸湿された水分との接触も良好に行われ、よって、この酸化チタンにより水分中の水酸化ラジカルや活性酸素の発生が効率良く行われて触媒層３の微生物及び微生物の餌となる有機物の分解作用が極めて高いものとなる。
【００３６】
第一実施例は上述のように構成したから、畳１に吸収された水分が、畳１の表材６の裏側に付設されている触媒層３に吸収され、触媒層３中に吸収された水分がこの触媒層３中に分散する酸化チタンと接触し、この触媒層３に表材６の隙間（表材６のゴザの目）から光（紫外線）が当たることで、この水分中に水酸化ラジカルや活性酸素が発生するため、畳１の表材６の裏側において微生物及び微生物の餌となる有機物の分解が極めて良好に行われる床構造となる。よって、この床構造によれば畳１と表材６の間に室内水蒸気（湿気）と共に微生物や有機物が入り込んでも畳１が傷みにくい。
【００３７】
また、第一実施例は、粉末状の酸化チタンを通気性良好な不織布にムラなく均一に分散させた触媒層３としたから、この触媒層３は、通気性が良好で、畳１と表材６の間に過度に湿気が溜まることがない。
【００３８】
また、粉末状の酸化チタンがムラなく均一に分散されることで、湿気が触媒層３に接触して吸湿された場合、湿気が吸収された部位に確実に粉末状の酸化チタンが存在し、両者が接触することとなり、よって、この酸化チタンに光を当てることで湿気中に確実に酸化性の強い水酸化ラジカルや活性酸素などのイオンを発生させることが出来、この酸化性の強い水酸化ラジカルや活性酸素の微生物及び有機物分解作用により、従来のように新聞紙を敷いた場合などに比して極めて良好な抗ダニ，抗カビ及び抗菌作用が発揮される。また、従来の防虫加工紙などのように有機リン系の薬剤を用いない為、人体に対する安全性も高い。
【００３９】
また、第一実施例は、室内の汚染空気中の有機物が水蒸気（湿気）の移動に伴い表材６の隙間より入り込むことにより最も有機物が溜まり易い畳１と表材６の間に触媒層３を設けたから、効果的に有機物が分解され、この有機物を餌とする微生物の増殖を防止して抗ダニ，抗カビ及び抗菌作用を発揮する一層実用性に秀れた床構造となる。
【００４０】
また、第一実施例は、表材６の隙間（表材６のゴザの目）からの光が最も当たり易い表材６と芯材５との間に触媒層３を設けたから、触媒層３の抗ダニ，抗カビ及び抗菌作用を一層効率良く得られる床構造となる。尚、畳１の表材６において、太陽光線の紫外線による色あせ（畳の焼け）が生じているようであれば、触媒層３にも同様に、畳１の表材６のゴザの目から太陽光線の紫外線が当たっているといえる。
【００４１】
また、第一実施例の触媒層３を、例えば、本出願人の特許第２６９８９６３号の床暖房用の畳に用いると、前記床暖房用の畳の芯材中のダニの発生を防止し得る効果のみならず、畳１の表材６に溜まった微生物及び有機物が分解されることによる抗ダニ，抗カビ及び抗菌作用も極めて良好に発揮する床暖房用の畳となる。
【００４２】
また、芯材５と表材６との間に触媒層３が配設された第一実施例において、更に銅を含有した金属含有層を、芯材５の下側（畳１の半分より下側）に設けた場合、上述した酸化チタンの抗ダニ，抗カビ及び抗菌作用とともに、畳１と床板２との温度差により芯材５の下側に溜まった結露水に金属含有層の銅が銅イオンとなって溶出することにより、更に芯材５の下側における微生物の殺菌作用を良好に発揮できる床構造となる。
【００４３】
尚、第一実施例の芯材５は、図６に示すように薄板材４を複数層積層してなる芯材５としても良い。また、第一実施例の別例として、シート材７を薄板材４同士の間に配設しても良いが、触媒層３に光が当たり易いため、表材６と芯材５との間にシート材７を配設した第一実施例の方が効果的である。
【００４４】
図３及び図４は、本発明の第二実施例であり、以下に説明する。
【００４５】
図３及び図４に図示した第二実施例は、床板２の上方に敷設部材１としての畳１が設けられ、この畳１と床板２との間には触媒層３が設けられた床構造である。
【００４６】
第二実施例は上述のように構成したから、触媒層３が床板２と畳１の温度差により生じた水分（結露水）を吸収することになり、畳１を例えば畳干し等の際に裏返して光（紫外線）を当てることにより、結露水を吸収した触媒層３の酸化チタンから電子と正孔が生成して触媒層３に吸収された結露水中に酸化性の強い水酸化ラジカルや活性酸素が発生して、触媒層３の微生物及び微生物の餌となる有機物の分解が行われる。よって、微生物が分解された上、更に微生物の餌となる有機物の分解が行われることで、微生物の増殖抑制作用、即ち、抗ダニ，抗カビ及び抗菌作用を良好に発揮できる。
【００４７】
第二実施例においては、畳１を裏返して触媒層３に光（紫外線）を当てることが必要なため、畳１を裏返しせずとも触媒層３に光が当たる第一実施例の方が効果的である。
【００４８】
また、第二実施例における芯材５として第一実施例の薄板材４を複数層積層してなる芯材５を採用してもよいことは勿論である。
【００４９】
その余は第一実施例と同様である。
【００５０】
尚、第一，第二実施例の触媒層３は、金属酸化物８を含有したシート材７とすることで、配設が極めて効率的に行われることになる。例えば、畳１を構成する芯材５に金属酸化物８を散在させる構成の場合には製造が厄介であるが、第一，第二実施例のようなシート材７の場合には、既存の芯材５に単にシート材７を配設するだけで良く、それだけ便利である。
【図面の簡単な説明】
【００５１】
【図１】第一実施例の断面図である。
【図２】第一実施例の斜視図である。
【図３】第二実施例の断面図である。
【図４】第二実施例の斜視図である。
【図５】第一実施例の触媒層の平面図である。
【図６】第一実施例の断面図である。
【符号の説明】
【００５２】
１  敷設部材
２  床板
３  触媒層
４  薄板材
５  芯材
６  表材
７  シート材
８  金属酸化物
【図１】
2006226055.tif 000003
【図２】
2006226055.tif 000004
【図３】
2006226055.tif 000005
【図４】
2006226055.tif 000006
【図５】
2006226055.tif 000007
【図６】
2006226055.tif 000008
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
床板の上方に畳，カーペット若しくはフローリング等の敷設部材を設けた床構造であって、前記敷設部材と前記床板との間には、光の照射により水から水酸化ラジカルや活性酸素を発生させる触媒層が設けられていることを特徴とする床構造。
【請求項２】
床板の上方に畳，カーペット若しくはフローリング等の敷設部材を設けた床構造であって、前記敷設部材には、光の照射により水から水酸化ラジカルや活性酸素を発生させる触媒層が設けられていることを特徴とする床構造。
【請求項３】
請求項２に記載の床構造において、前記敷設部材は、薄板材を複数層積層してなる芯材の上面に表材が設けられ、更に、この複数積層される薄板材の間若しくは最上位の前記薄板材と表材との間の少なくとも１箇所に前記触媒層が設けられたものであることを特徴とする床構造。
【請求項４】
請求項１〜３いずれか１項に記載の床構造において、前記触媒層は、基材となるシート材の外面に粉末状の金属酸化物を適宜吹き付けしてなる構成としたことを特徴とする床構造。
【請求項５】
請求項４に記載の床構造において、前記シート材を通気性素材としたことを特徴とする床構造。
【請求項６】
請求項４，５いずれか１項に記載の床構造において、前記金属酸化物は、酸化チタンを採用したことを特徴とする床構造。
【請求項７】
畳，カーペット若しくはフローリング等の敷設部材と床板との間に配設されるシート材であって、このシート材は、光の照射により水から水酸化ラジカルや活性酸素を発生させるシート材であることを特徴とするシート材。
【請求項８】
畳，カーペット若しくはフローリング等の敷設部材であって、この敷設部材には、光の照射により水から水酸化ラジカルや活性酸素を発生させる触媒層が設けられていることを特徴とする敷設部材。
【手続補正２】
【補正対象書類名】明細書
【補正対象項目名】全文
【補正方法】変更
【補正の内容】
【発明の詳細な説明】
【技術分野】
【０００１】
本発明は、抗ダニ，抗カビ及び抗菌作用を有する床構造，シート材及び敷設部材に関するものである。
【背景技術】
【０００２】
従来、畳には湿気とともにダニ，カビ及び細菌などの微生物の餌になる有機物が溜まり易く、この湿気と有機物により畳に微生物が生じ易くなってしまうため、畳の湿気及び微生物の増殖対策として、床板と畳の間に新聞紙や防虫加工紙を敷くことが行われてきた。
【０００３】
これは新聞紙や防虫加工紙が良好な吸湿作用を示し、また、新聞紙に含まれるインクや防虫加工紙に含まれる有機リン系の薬剤が微生物の増殖を阻止する作用を示すと考えられてきたためである。
【発明の開示】
【発明が解決しようとする課題】
【０００４】
しかしながら、一旦湿気を吸湿した新聞紙は湿気を放出しにくく、かえって床板と畳の間の通気が妨げられて、この湿気と有機物により畳にダニ，カビ及び細菌などの微生物が増殖し易くなってしまうことが分かってきた。また、防虫加工紙に用いられる有機リン系の薬剤は、人体に対して慢性若しくは急性の毒性があり、健康被害をもたらす危険があることも分かってきた。
【０００５】
本発明は、光の照射により水から水酸化ラジカルや活性酸素を発生させる触媒シートにより、抗ダニ，抗カビ及び抗菌作用を発揮するとともに、人体に対する安全性の高い床構造，シート材及び敷設部材を提供するものである。
【課題を解決するための手段】
【０００６】
本発明の要旨を説明する。
【０００７】
床板２の上方に畳，カーペット若しくはフローリング等の敷設部材１を設けた床構造であって、前記敷設部材１と前記床板２との間には、光の照射により水から水酸化ラジカルや活性酸素を発生させる触媒層３が設けられていることを特徴とする床構造。
【０００８】
また、床板２の上方に畳，カーペット若しくはフローリング等の敷設部材１を設けた床構造であって、前記敷設部材１には、光の照射により水から水酸化ラジカルや活性酸素を発生させる触媒層３が設けられていることを特徴とする床構造。
【０００９】
また、請求項２に記載の床構造において、前記敷設部材１は、薄板材４を複数層積層してなる芯材５の上面に表材６が設けられ、更に、この複数積層される薄板材４の間若しくは最上位の前記薄板材４と表材６との間の少なくとも１箇所に前記触媒層３が設けられたものであることを特徴とする床構造。
【００１０】
また、請求項１〜３いずれか１項に記載の床構造において、前記触媒層３は、基材となるシート材７の外面に粉末状の金属酸化物８を適宜吹き付けしてなる構成としたことを特徴とする床構造。
【００１１】
また、請求項４に記載の床構造において、前記シート材７を通気性素材としたことを特徴とする床構造。
【００１２】
また、請求項４，５いずれか１項に記載の床構造において、前記金属酸化物８は、酸化チタンを採用したことを特徴とする床構造。
【００１３】
また、畳，カーペット若しくはフローリング等の敷設部材１と床板２との間に配設されるシート材７であって、このシート材７は、光の照射により水から水酸化ラジカルや活性酸素を発生させるシート材７であることを特徴とするシート材。
【００１４】
また、畳，カーペット若しくはフローリング等の敷設部材１であって、この敷設部材１には、光の照射により水から水酸化ラジカルや活性酸素を発生させる触媒層３が設けられていることを特徴とする敷設部材。
【発明の効果】
【００１５】
本発明は上述のように構成したから、抗ダニ，抗カビ及び抗菌作用を極めて良好に発揮できる床構造，シート材及び敷設部材となる。
【発明を実施するための最良の形態】
【００１６】
好適と考える本発明の実施形態を、図面に基づいて本発明の作用を示して簡単に説明する。
【００１７】
床板２の上方に設ける畳，カーペット若しくはフローリング等の敷設部材１に、光の照射により水から水酸化ラジカルや活性酸素を発生させる触媒層３を設けたから、この触媒層３に湿気や結露水が吸収され、更にこの触媒層３に光が照射されると、該湿気や結露水から水酸化ラジカルや活性酸素が発生し、この水酸化ラジカルや活性酸素によりダニ，カビ及び細菌などの微生物及び該微生物の餌になる有機物が分解され、よって、良好な抗ダニ，抗カビ及び抗菌作用が発揮される。
【実施例】
【００１８】
図面に基づいて本発明の実施例を説明する。
【００１９】
図１，図２，図３及び図４は本発明の第一実施例、図５及び図６は本発明の第二実施例である。まず、第一実施例について説明する。
【００２０】
第一実施例は、表材６と芯材５との間に触媒層３、具体的には金属酸化物８として酸化チタンを含有したシート材７を設けた畳１を床板２の上に配設した床構造である。
【００２１】
第一実施例の畳１は、表材６と芯材５とから構成されている。
【００２２】
表材６は、一般に使用されている畳表を使用する。
【００２３】
芯材５は、従来畳の芯材として使用されている木材チップから成る木質繊維板を使用している。木質繊維板は元々畳の芯材として使用されている素材であるため、畳独特のクッション性を維持することに適している。尚、芯材５は、本実施例以外にも、昔から使用されている藁製の芯材でも良い。
【００２４】
第一実施例の触媒層３は、基材となるシート材７と金属酸化物８とから構成されている。
【００２５】
シート材７は、通気性が良好であるとともに、適度な水分（水蒸気若しくは結露水）の吸放湿性を有する素材を採用する。また、このシート材７の厚さは、通気性と水分の吸放湿性が損なわれない程度の厚さとする。
【００２６】
具体的に本実施例のシート材７は、厚さが０．１〜１ｍｍの不織布を採用している。この不織布は、厚過ぎると通気性が悪くなるとともにコスト高となるため好ましくなく、薄すぎると不織布内に十分に水分を吸湿・保持できず、水分から水酸化ラジカルや活性酸素を良好に発生させることができなくなるため、望ましくない。
【００２７】
金属酸化物８は、粉末状のものを採用している。この粉末状の金属酸化物８は、シート材７から飛散しやすく、また、シート材７内に均一に分散させることが困難で、このように不均一に金属酸化物８が分散したシート材においては、通気性が悪化（部分的に通気性が悪くなる為）する場合があるため、シート材７の裏面若しくは表面に適宜均一に吹き付け塗布できるようなスプレー加工を施すことが好ましい。このように粉末状の金属酸化物８をシート材７の裏面若しくは表面に適宜均一に吹き付け塗布することで、不織布の通気性を妨げることがなく、該不織布は均一な通気性が確保される。
【００２８】
また、金属酸化物８がムラなく均一に不織布内に存在することで、触媒層３に水分が吸収されると共に光が照射された場合に、この触媒層３のどの部位においても確実に水分と金属酸化物８とが接触して、水酸化ラジカルや活性酸素を発生させることができる。
【００２９】
また、金属酸化物８としては、紫外線の照射により励起して水から水酸化ラジカルや活性酸素を発生させる金属酸化物８であって、水に光が照射され、該水から水酸化ラジカルや活性酸素が発生する際に触媒作用を発揮するような金属酸化物８を採用する。
【００３０】
本実施例は具体的には金属酸化物８として、酸化チタン（ＴｉＯ２）を採用している。
【００３１】
金属酸化物８として紫外線で励起するＺｎＯ、ＳｎＯ２、ＳｒＴｉＯ３、ＷＯ３、Ｂｉ２Ｏ３、Ｆｅ２Ｏ３でもよいが、化学的に安定で、無害で、かつ安価な酸化チタンが特に好ましい。
【００３２】
この酸化チタンを用いる場合、不織布の外面１ｍ２当たり５ｇ〜１０ｇの粉末が含まれるように吹き付けた触媒層３とすると良い。
【００３３】
この粉末状の酸化チタンを含有した触媒層３に光（紫外線）を当てると、酸化チタンから電子と正孔が生成して触媒層３に吸収された水分と反応し、この過程で水分中に酸化性の強い水酸化ラジカルや活性酸素が発生して、触媒層３の微生物及び微生物の餌となる有機物の分解が行われる。よって、微生物が分解された上、更に微生物の餌となる有機物の分解が行われることで、微生物の増殖抑制作用、即ち、抗ダニ，抗カビ及び抗菌作用を良好に発揮できる。
【００３４】
尚、第一実施例においては、表材６の隙間（畳１のゴザの目）から触媒層３に光（太陽光あるいは室内照明の紫外線）が当たることとなる。
【００３５】
また、上記酸化チタンは水との親和性が良好で（一般に酸化物は親水性を有する）、この酸化チタンを含有した不織布の親水性を向上させる作用があるから、不織布の吸湿性が向上して、必然的に酸化チタンと不織布に吸湿された水分との接触も良好に行われ、よって、この酸化チタンにより水分中の水酸化ラジカルや活性酸素の発生が効率良く行われて触媒層３の微生物及び微生物の餌となる有機物の分解作用が極めて高いものとなる。
【００３６】
尚、上記触媒層３は、芯材５と表材６の間及び芯材５と床板２との間の双方に設けても良い。
【００３７】
第一実施例は上述のように構成したから、畳１に吸収された水分が、畳１の表材６の裏側に付設されている触媒層３に吸収され、触媒層３中に吸収された水分がこの触媒層３中に分散する酸化チタンと接触し、この触媒層３に表材６の隙間（表材６のゴザの目）から光（紫外線）が当たることで、この水分中に水酸化ラジカルや活性酸素が発生するため、畳１の表材６の裏側において微生物及び微生物の餌となる有機物の分解が極めて良好に行われる床構造となる。よって、この床構造によれば畳１と表材６の間に室内水蒸気（湿気）と共に微生物や有機物が入り込んでも畳１が傷みにくい。
【００３８】
また、第一実施例は、粉末状の酸化チタンを通気性良好な不織布にムラなく均一に分散させた触媒層３としたから、この触媒層３は、通気性が良好で、畳１と表材６の間に過度に湿気が溜まることがない。
【００３９】
また、粉末状の酸化チタンがムラなく均一に分散されることで、湿気が触媒層３に接触して吸湿された場合、湿気が吸収された部位に確実に粉末状の酸化チタンが存在し、両者が接触することとなり、よって、この酸化チタンに光を当てることで湿気中に確実に酸化性の強い水酸化ラジカルや活性酸素などのイオンを発生させることが出来、この酸化性の強い水酸化ラジカルや活性酸素の微生物及び有機物分解作用により、従来のように新聞紙を敷いた場合などに比して極めて良好な抗ダニ，抗カビ及び抗菌作用が発揮される。また、従来の防虫加工紙などのように有機リン系の薬剤を用いない為、人体に対する安全性も高い。
【００４０】
また、第一実施例は、室内の汚染空気中の有機物が水蒸気（湿気）の移動に伴い表材６の隙間より入り込むことにより最も有機物が溜まり易い畳１と表材６の間に触媒層３を設けたから、効果的に有機物が分解され、この有機物を餌とする微生物の増殖を防止して抗ダニ，抗カビ及び抗菌作用を発揮する一層実用性に秀れた床構造となる。
【００４１】
また、第一実施例は、表材６の隙間（表材６のゴザの目）からの光が最も当たり易い表材６と芯材５との間に触媒層３を設けたから、触媒層３の抗ダニ，抗カビ及び抗菌作用を一層効率良く得られる床構造となる。
【００４２】
尚、畳１の表材６において、太陽光線の紫外線による色あせ（畳の焼け）が生じているようであれば、触媒層３にも同様に、畳１の表材６のゴザの目から太陽光線の紫外線が当たっているといえる。
【００４３】
また、第一実施例の触媒層３を、例えば、本出願人の特許第２６９８９６３号の床暖房用の畳に用いると、前記床暖房用の畳の芯材中のダニの発生を防止し得る効果のみならず、畳１の表材６に溜まった微生物及び有機物が分解されることによる抗ダニ，抗カビ及び抗菌作用も極めて良好に発揮する床暖房用の畳となる。
【００４４】
また、芯材５と表材６との間に触媒層３が配設された第一実施例において、更に銅を含有した金属含有層を、芯材５の下側（畳１の半分より下側）に設けた場合、上述した酸化チタンの抗ダニ，抗カビ及び抗菌作用とともに、畳１と床板２との温度差により芯材５の下側に溜まった結露水に金属含有層の銅が銅イオンとなって溶出することにより、更に芯材５の下側における微生物の殺菌作用を良好に発揮できる床構造となる。
【００４５】
尚、第一実施例の芯材５は、図４に示すように薄板材４を複数層積層してなる芯材５としても良い。この場合、触媒層３（シート材７）を薄板材４同士の間に配設しても良いが、少なくとも最も光が当たり易い表材６と最上位の薄板材４との間に触媒層３（シート材７）を配設した方が効果的である。
【００４６】
図５及び図６は、本発明の第二実施例であり、以下に説明する。
【００４７】
図５及び図６に図示した第二実施例は、床板２の上方に敷設部材１としての畳１が設けられ、この畳１と床板２との間には触媒層３が設けられた床構造である。
【００４８】
第二実施例は上述のように構成したから、触媒層３が床板２と畳１の温度差により生じた水分（結露水）を吸収することになり、畳１を例えば畳干し等の際に裏返して光（紫外線）を当てることにより、結露水を吸収した触媒層３の酸化チタンから電子と正孔が生成して触媒層３に吸収された結露水中に酸化性の強い水酸化ラジカルや活性酸素が発生して、触媒層３の微生物及び微生物の餌となる有機物の分解が行われる。よって、微生物が分解された上、更に微生物の餌となる有機物の分解が行われることで、微生物の増殖抑制作用、即ち、抗ダニ，抗カビ及び抗菌作用を良好に発揮できる。
【００４９】
第二実施例においては、畳１を裏返して触媒層３に光（紫外線）を当てることが必要なため、畳１を裏返しせずとも触媒層３に光が当たる第一実施例の方が効果的である。
【００５０】
また、第二実施例における芯材５として第一実施例の薄板材４を複数層積層してなる芯材５を採用してもよいことは勿論である。
【００５１】
その余は第一実施例と同様である。
【００５２】
尚、第一，第二実施例の触媒層３は、金属酸化物８を含有したシート材７とすることで、配設が極めて効率的に行われることになる。例えば、畳１を構成する芯材５に金属酸化物８を散在させる構成の場合には製造が厄介であるが、第一，第二実施例のようなシート材７の場合には、既存の芯材５に単にシート材７を配設するだけで良く、それだけ便利である。
【図面の簡単な説明】
【００５３】
【図１】第一実施例の断面図である。
【図２】第一実施例の斜視図である。
【図３】第一実施例の触媒層の平面図である。
【図４】第一実施例の別例の断面図である。
【図５】第二実施例の断面図である。
【図６】第二実施例の斜視図である。
【符号の説明】
【００５４】
１  敷設部材
２  床板
３  触媒層
４  薄板材
５  芯材
６  表材
７  シート材
８  金属酸化物
【手続補正３】
【補正対象書類名】図面
【補正対象項目名】図３
【補正方法】変更
【補正の内容】
【図３】
2006226055.tif 000009
【手続補正４】
【補正対象書類名】図面
【補正対象項目名】図４
【補正方法】変更
【補正の内容】
【図４】
2006226055.tif 000010
【手続補正５】
【補正対象書類名】図面
【補正対象項目名】図５
【補正方法】変更
【補正の内容】
【図５】
2006226055.tif 000011
【手続補正６】
【補正対象書類名】図面
【補正対象項目名】図６
【補正方法】変更
【補正の内容】
【図６】
2006226055.tif 000012